(57)【要約】【課題】釣竿として、先細りの一様なテーパー形状を持つ金属パイプ管を穂先として用いた釣竿が知られている。【解決手段】釣竿は、金属管材料が穂先から直軸状に伸長され、少なくとも竿尻側に中空構造の接合箇所を有する穂先部と、繊維強化樹脂材料により中空構造又は中実構造に形成され、先端に前記接合箇所に嵌入する繋ぎ部を有する穂持部とで構成される穂先竿を有する。【選択図】図１
2014087300.tif 000002
【特許請求の範囲】
【請求項１】
金属管材料が穂先から直軸状に伸長され、少なくとも竿尻側に中空構造の接合箇所を有する穂先部と、
中空構造又は中実構造で先端側に前記接合箇所に嵌入する繋ぎ部を有する穂持部と、
で構成される穂先竿を有する釣竿。
【請求項２】
金属管材料が穂先から直軸状に伸長され、少なくとも竿尻側にストレート状で中空構造の第１の接合箇所を有する穂先部と、
繊維強化樹脂材料により形成され、少なくとも穂先側にストレート状で、前記接合箇所に嵌入する中実構造の第２の接合箇所を有する穂持部と、
で構成される穂先竿を有する釣竿。
【請求項３】
金属管材料が穂先から直軸状に伸長され、少なくとも竿尻側にストレート状で中空構造の第１の接合箇所を有する穂先部と、
繊維強化樹脂材料により形成され、少なくとも穂先側にストレート状で中空構造の第２の接合箇所を有する穂持部と、
前記繊維強化樹脂材料により、それぞれの前記接合箇所の内径に隙間なく嵌入される外径を有する中空構造の円筒形状又は中実構造の円柱形状に形成され、前記第１の接合箇所と前記第２の接合箇所に両端を嵌入させて接合する繋ぎ部と、
で構成される穂先竿を有する釣竿。
【請求項４】
金属管材料が穂先から直軸状に伸長され、少なくとも竿尻側の竿径が拡径化されてストレート状に延伸する中空構造の接合箇所を有する穂先部と、
繊維強化樹脂材料により形成され、少なくとも前記合箇所内に嵌入され、嵌入時に前記接合箇所の表面とは平坦面を成すストレート状に延伸する中空構造又は中実構造の繋ぎ部を有する穂持部と、
で構成される穂先竿を有する釣竿。
【請求項５】
金属管材料が直軸状に伸長され、少なくとも竿尻側に竿径が縮径化されてストレート状に延伸する中空構造の繋ぎ部を有する穂先部と、
繊維強化樹脂材料により形成され、少なくとも前記繋ぎ部に嵌入され、嵌入時に前記繋ぎ部の表面とは平坦面を成すストレート状に延伸する中空構造の接合箇所を有する穂持部と、
で構成される穂先竿を有する釣竿。
【発明の詳細な説明】
【技術分野】
【０００１】
本発明は、金属により形成された中空構造の穂先部を含む穂先竿を備える釣竿に関する。
【背景技術】
【０００２】
近年における釣竿は、強化繊維を含む繊維強化樹脂により形成され、曲げ剛性やねじれ剛性等が向上し、釣竿の細径化及び軽量化が進み、扱いが容易になっている。釣竿全体の細径化に伴い、竿先も細くなるが、魚種によっては、竿先に負荷が大きく掛かり、釣竿の強度のバランス設計が難しくなっている。また、竿先は、釣糸が纏った状態にも関わらずリールで釣糸を巻き上げる、又は仕掛けを投入して局所的な負荷を掛けた場合には、トップガイド嵌合部分又は穂先部が折れてしまう事故が発生する。
【０００３】
これに対して、穂先竿の強度を向上させる技術として、例えば、特許文献１には、金属製の中実な棒材を穂先部（小径竿体）として用いた穂先竿が提案されている。小径竿体は、穂持ち部（大径竿体）側に差し込まれる繋ぎ部（小径竿体の元側端部）の手前から竿先に向かい先細りの傾斜（テーパー）を付けるようにプリプレグシートを巻き付けて固化された傾斜繋ぎ部を設けている。繋ぎ部が差し込まれる大径竿体は、プリプレグシートをテーパー形状に巻き付けた中空構造に形成されている。傾斜繋ぎ部のテーパーが大径竿体のテーパーに段差なく繋がるように設けられている。
【先行技術文献】
【特許文献】
【０００４】
【特許文献１】特開２００７−２８９０６７号公報
【発明の概要】
【発明が解決しようとする課題】
【０００５】
前述した引用文献１は、穂先竿が金属製中実の棒形状の穂先部（小径竿体）の繋ぎ部を中空構造の樹脂部材で形成された大径竿体に差し込む接合構造である。このため、繋ぎ部となる棒部材と樹脂部材による竿体の重なり部分の剛性が前後に比べて大きくなっている。引用文献１では、繋ぎ部に至る穂先側には、傾斜繋ぎ部を設けているため、小径竿体から大径竿体の差し込み開口端分までは、スムーズな掛けカーブとなる。しかし、中実の接合部に続く大径竿体の中空部との境には、応力が集中しやすい構造となっている。このため、接合部から大径竿体への繋がりは、連続的に続くスムーズな掛けカーブとはならない。
【０００６】
そこで本発明は、少なくとも接合部に係る部分が中空構造を有する穂先部を、中空構造又は中実構造の穂持ち部に繋ぐ構造により、高い剛性及びスムーズな掛けカーブを有し、魚信を受けて感度よく撓み、当たりが見分け易い穂先を有する釣竿を提供することを目的とする。
【課題を解決するための手段】
【０００７】
上記目的を達成するために、本発明に従う実施形態の穂先竿を有する釣竿は、金属管材料が穂先から直軸状に伸長し、少なくとも竿尻側に中空構造の接合箇所を有する穂先部と、中空構造又は中実構造で先端側に前記接合箇所に嵌入する繋ぎ部を有する穂持部とで構成される。
【発明の効果】
【０００８】
本発明によれば、少なくとも接合部に係る部分が中空構造を有する穂先部を、中空構造又は中実構造の穂持ち部に繋ぐ構造により、高い剛性及びスムーズな掛けカーブを有し、魚信を受けて感度よく撓み、当たりが見分け易い穂先を有する釣竿を提供することができる。
【図面の簡単な説明】
【０００９】
【図１】図１は、第１の実施形態に係る釣竿の穂先竿の概念的な構成例を示す図である。
【図２】図２は、第２の実施形態に係る釣竿の穂先竿の接合部の構成例を示す図である。
【図３】図３は、第３の実施形態に係る釣竿の穂先竿の接合部の構成例を示す図である。
【図４】図４は、第４の実施形態に係る釣竿の穂先竿の接合部の構成例を示す図である。
【図５】図５は、第５の実施形態に係る釣竿の穂先竿の接合部の構成例を示す図である。
【図６】図６は、第６の実施形態に係る釣竿の穂先竿の接合部の構成例を示す図である。
【発明を実施するための形態】
【００１０】
以下、図面を参照して本発明の実施形態について説明する。  
［第１の実施形態］
図１は、第１の実施形態に係る釣竿の穂先竿の概念的な構成例を示す図である。以下、各実施形態の穂先竿は、複数に分割されて並継式等により継合して一本竿となる継竿、又は延べ竿、所謂ワンピース竿又は、振出竿の何れにも同等に適用することができる。また、以下の説明の中で、竿のある位置において、径が細い竿先側を穂先側又は先端側と称し、径が太い竿尻側を竿元側又は後端側と称している。
【００１１】
図１に示すように、釣竿１は、穂先竿（１番節）４と、２番竿（２番節）５以降に竿元まで複数の継竿（図示せず）が継がれた構成例である。穂先竿４は、竿先となる金属製材料で形成される穂先部２と、樹脂材料から形成される穂持部３が接合されて一体的に形成される。
【００１２】
本実施形態の穂先部２は、金属管材料にスエージング加工を用いて先細りテーパー加工により、穂先から直軸状に伸長させて、先端から竿径が拡径化するテーパー状の中空構造（所謂、チューブラー）に形成されている。穂先部２は、金属材料として、例えば、Ｎｉ−Ｔｉ系合金、Ｎｉ−Ｔｉ−Ｆｅ系合金、Ｎｉ−Ｔｉ−Ｃｕ系合金、βチタン合金（β相：体心立方晶）又は、Ｎｉ−Ｔｉ−Ｃｒ系合金等の材料を用いて、３％以上、好ましくは、５〜８％の弾性伸び（伸度）を有する合成金属が好適する。この例では、穂先部２は、少なくとも竿元側が中空構造（パイプ構造）で開口するように形成される。
【００１３】
穂持部３は、カーボン等の強化繊維に樹脂を含浸した繊維強化樹脂シート、所謂プリプレグを巻回して、中空構造で竿尻側に向かい竿径が拡径化するテーパー状に形成される。  このシートの巻回は、シートの繊維の巻き付け方向によって剛性や曲がりの特性が異なっている。一般的な繊維方向は、釣竿の長手方向（直軸方向）に対して、平行又は直交する方向となるように巻き付けられている。さらに、交差方向、例えば、釣竿の長手方向（直軸方向）に対して、±４５度の傾きを持つ、２方向の繊維方向を追加することにより、竿のねじれ防止、剛性や掛けカーブの特性を変えることができる。また、穂先部２と接合する穂持部３の先端には、穂先部２の開口端に内嵌される繋ぎ部３ａが設けられている。
【００１４】
この繋ぎ部３ａは、中空な円筒形状、中空な円錐台形状、中実な円柱形状、及び中実な円錐台形状の何れかである。繋ぎ部３ａは、穂先部２に嵌入されて接着剤等を用いて固定される。以下の説明において、繋ぎ部又は繋ぎ部材は、共に接着等を用いて接合固定される部位を示唆し、継合部又は継合部材は、共に着脱自在に嵌合する部位を示唆する。
【００１５】
本実施形態の穂持部３は、繊維強化樹脂材からなる中空構造を例としているが、内部に同等又は異なる樹脂材料が充填されている中実構造であってもよい。また、穂持部３は、穂先部２と同様に、金属管材料を用いて同じ加工方法を用いて、中空構造又は中実構造で形成することも可能である。穂先部２と穂持部３を共に金属材料で形成する場合には、同じ金属材料だけではなく、異なる特性を持つ金属を組み合わせることで所望する曲がり具合と剛性とを設定することができる。例えば、穂先部２に対して、超弾性効果としなやかな曲がり具合を所望する場合、Ｎｉ−Ｔｉ系合金を採用し、穂持部３には、軽量化を考慮して、βチタン合金を採用する等、種々の組み合わせを実施することができる。  
また、釣糸ガイドを設ける仕様の釣竿であれば、この接合箇所にガイドのフット部が掛かるように配置して、フット部を固定するために用いられる巻糸や樹脂材料を接合箇所の補強に利用することも可能である。
【００１６】
尚、本実施形態の穂先部２は、中空構造を例として説明したが、接合部又は接合箇所が少なくとも中空構造であれば、穂先側においては、中空構造内に充填物、例えば樹脂部材を溶解して密に埋め込んだ中実構造として強度を上げてもよい。  
さらに、後続する２番竿５に着脱可能に継合するために、穂持部３の竿元側には、ストレート状の円柱形状（中実）又は筒形状（中空）に形成された継合部３ｂが延出するように設けられている。この継合部３ｂは、後続する２番竿５の接合開口端に着脱可能に嵌入される。
【００１７】
以上説明したように本実施形態によれば、穂先竿における金属材料からなる中空構造の穂先部は、繊維強化樹脂からなる穂先部に比べると、高い剛性を有し、且つ高い感度を維持している。さらに同径であれば、中実構造の穂先部に比べて軽量化を実現することができる。中空構造の穂先竿は、金属材料の選択及び厚み（竿の肉厚）を選択することで、剛性、掛けカーブ（魚が掛かった時の竿の曲がり形状）及び竿杆の径を設計仕様に合わせて比較的自由に設計できる。
【００１８】
さらに、本実施形態では、穂先部の開口内部に穂持部３の繋ぎ部を内嵌する構造であるため、穂持部３の繋ぎ部（中空構造）を穂先部に被せる外嵌構造に対して、接合部の剛性を低く抑えることができ、急な曲率変化がない掛けカーブも実現される。従って、手に伝わる感度だけではなく、釣り人に対して見た目でも負荷の大きさ（釣れた魚の大きさ）が分かる。
【００１９】
［第２の実施形態］
次に、第２の実施形態について説明する。図２は、第２の実施形態に係る釣竿の穂先竿の接合部の構成例を示す図である。本実施形態は、穂先竿の穂先部と穂持部とがストレート状の繋ぎ部材を用いた接合、所謂インロー式の接合構造を有している。
【００２０】
本実施形態の穂先部１１は、第１の実施形態と同等の金属材料を用いて、中空構造又は、少なくとも接合部近傍が中空構造に形成されている。穂先部１１は、穂先側に先細りとなるテーパー状を成し、インロー部材１３を嵌入する中空構造の接合箇所１１ａのみがストレート状に形成されている。また、穂持部１２は、カーボン等の強化繊維に樹脂を含浸した繊維強化樹脂シート、所謂プリプレグを巻回して、中空構造で竿尻側に向かい竿径が拡径化するテーパー状に形成される。穂持部１２においても、インロー部材１３を嵌入する中空構造の接合箇所１２ａのみがストレート状に形成されている。
【００２１】
インロー部材１３は、穂持部１２と同等な樹脂材料を用いて、各接合箇所の内径に隙間なく嵌入される外径を有する直管の円筒形状（中空パイプ：中空構造）、又は、円柱形状（中実構造）に形成される。また、インロー部材１３は、樹脂材料に限定されるものはなく、穂先部１１と同等な金属材料を用いて、中空構造に形成してもよい。また、その剛性については、金属の種類の選択と厚みを調整することで調整可能である。
【００２２】
通常は、インロー部材１３が嵌入する穂先部１１において、インロー部材１３との重なり部分と非重なり部分との境において、剛性が段差的に異なっている。穂持部１２においてもインロー部材１３との重なり部分の境は同様である。これに対して、インロー部材１３を中空構造にする、インロー部材１３の剛性を僅かに下げることにより、これらの境部分の剛性の段差の立ち上がり又は立ち下がりの一部を傾斜させて、剛性の変化幅を小さくさせることができる。即ち、穂先部１１から穂持部１２への剛性の変化を少なくし、掛けカーブ特性の段差的な変化を緩和させることができ、感度の伝達がより改善される。
【００２３】
インロー部材１３の長さは、少なくとも嵌入される各接合箇所１１ａ，１２ａを合わせた長さを有している。図２に示すインロー部材１３は、この合わせた長さよりやや長く形成され、接合時に隙間ができるように形成されている。この隙間は、必ずしも必要ではないが、接合代として利用する又は、少なくとも穂先部１１を形成する金属における熱膨張を考慮した距離となっている。尚、竿の塗装時に、この隙間を接着剤の充填箇所として利用する。例えば、エポキシ樹脂等で埋めて、接合箇所１１ａ，１２ａの間を平坦に繋ぐように加工してもよい。また、隙間を埋める部材は、固化した状態であっても、弾性を有する部材が好適する。
【００２４】
さらに、インロー部材１３は、１種類の材料で形成されるだけではなく、例えば、金属材料の外層と樹脂材料の内層とによる中空な積層構造であってもよい。反対に、樹脂材料の外層と金属材料の内層とによる中空な積層構造であってもよい。さらには、金属材料からなる筒形状の外層と、筒形状内に樹脂材料を充填した中実構造でもよい。
【００２５】
本実施形態によれば、穂先部と穂持部との内部側にインロー部材を介在させて接合させることにより、接合箇所の外径を大きくすることなく、スムーズに接合させることができる。また接合部は、ストレート状となっているため、例えば、釣糸ガイドを取り付ける釣竿であれば、このストレート部分にガイドフットを配置することにより、釣糸ガイドをより安定させて固定することができる。また、ガイドフット部分が隙間部分を跨いで配置されることにより、穂先部と穂持部との接合箇所をより強固に接合させることができる。
【００２６】
［第３の実施形態］
次に、第３の実施形態について説明する。図３は、第３の実施形態に係る釣竿の穂先竿の接合部の構成例を示す図である。本実施形態は、穂先竿の穂先部１１の竿元側の開口端に穂持部１４の先端側に設けられた繋ぎ部１５を嵌入する逆並継式の接合構造を有している。  
本実施形態の穂先部１１は、第１の実施形態と同等な金属材料を用いて、穂先から直軸状に伸長された中空構造又は、少なくとも接合部近傍が中空構造に形成され、穂先側に先細りとなるテーパー状を成し、繋ぎ部１５が嵌入される開口端を有する中空構造の接合箇所１１ａのみがストレート状に形成されている。
【００２７】
また、穂持部１４は、カーボン等の強化繊維に樹脂を含浸した繊維強化樹脂シートを巻回して、中実構造のテーパー状に形成される。  
穂持部１４の先端には、接合箇所１１ａの内径に隙間なく嵌入される外径を有する直管の円筒形状（中空パイプ：中空構造）又は、円柱形状（中実構造）の繋ぎ部１５が設けられている。また、穂持部１４は、中空構造に形成してもよい。穂持部１４の先端近傍は、接合箇所１１ａと同様な長さをストレート状に形成してもよい。
【００２８】
繋ぎ部１５の長さは、少なくとも接合箇所１１ａの長さ（嵌入される長さ）を有している。図３に示す繋ぎ部１５は、この長さよりやや長く形成され、接合時に隙間ができるように形成されている。この隙間は、必ずしも必要ではないが、設けるならば、少なくとも穂先部１１を形成する金属における熱膨張を考慮した距離以上である。また、前述した第１の実施形態と同様に、隙間を例えば、エポキシ樹脂等で埋めて、接合箇所１１ａと穂持部１４との間を平坦に繋ぐように加工してもよい。また、隙間を埋める部材は、固化した状態であっても、弾性を有する部材が好適する。
【００２９】
本実施形態によれば、穂先部の中空構造の接続箇所に、穂持部の先端の設けた繋ぎ部を嵌入して接合させることにより、接合箇所の外径を大きくすることなく、スムーズに接合させることができる。また、ガイドフット部分が穂先部１１と穂持部１４とで隙間部分を跨いで、配置することにより、穂先部と穂持部との接合箇所をより強固に接合させることができる。
【００３０】
［第４の実施形態］
次に、第４の実施形態について説明する。図４は、第４の実施形態に係る釣竿の穂先竿の接合部の構成例を示す図である。本実施形態は、穂先竿の穂先部２１の竿元側の竿径が段的に拡径化（大径化）された接合箇所２１ａの開口端に、穂持部２２の先端側に設けられた繋ぎ部２２ａを嵌入する並継式の接合部を有している。
【００３１】
本実施形態の穂先部２１は、第１の実施形態と同等な金属材料を用いて、穂先から直軸状に伸長する中空構造又は、少なくとも接合部近傍が中空構造に形成される。その形状は、穂先側からテーパー状に竿径が広がり延伸する竿体が、接合箇所２１ａの手前で段的に繋ぎ部２２ａが嵌入できる竿径まで、竿体がテーパー状に拡径化（拡径部２１ｂ）し、さらに接合箇所２１ａがストレート状に伸びて開口端が設けられている。
【００３２】
本実施形態において、接合箇所２１ａ及び拡径部２１ｂは、穂先部２１側から延伸する竿体の厚さ（肉厚）と同じ厚さが維持されて形成される、又は、竿体の厚さを薄くして形成される。これは、竿径を拡径化すると、竿体自体の剛性が大きくなるため、厚さを薄くしても、拡径化する前の竿体の剛性を維持することができる。これらの接合箇所２１ａ、拡径部２１ｂ及び繋ぎ部２２ａのそれぞれの厚さを調整することにより、接合部の剛性を調整することができる。
【００３３】
また、穂持部２２は、カーボン等の強化繊維に樹脂を含浸した繊維強化樹脂シートを巻回した中空構造で、繋ぎ部２２ａがストレート状に形成され、以降竿尻側に向かいテーパー状に竿径が広がるように形成される。尚、図４には、中空構造の穂持部２２を例として示しているが、繋ぎ部２２ａを含めて中実構造であってもよい。
【００３４】
以上説明したように本実施形態によれば、穂先部２１を形成する金属材料には、繊維強化樹脂シートのように剛性には方向性がなく、穂先側からテーパー状に延伸する竿体の竿径を拡径化した接合箇所２１ａ及び拡径部２１ｂを一定の厚みで形成することにより、接合部の前後で大きく剛性が変化しない穂先竿を実現することができる。さらに、接合部を構成する接合箇所２１ａ、拡径部２１ｂ及び穂持部３４の厚みや重なり量（嵌入の長さ）を適切に設定することにより剛性が調整でき、所望する穂先竿の撓み具合を設計することができる。
【００３５】
［第５の実施形態］
次に、第５の実施形態について説明する。図５は、第５の実施形態に係る釣竿の穂先竿の接合部の構成例を示す図である。本実施形態は、穂先竿の穂先部３１の竿元側の縮径化（径が小さくなる）した繋ぎ部３１ａを、穂持部３２の先端側に設けられた接合箇所３２ａの開口端３２ｂから嵌入する並継式の接合部を有している。
【００３６】
本実施形態の穂先部３１は、第１の実施形態と同等な金属材料を用いて、穂先から直軸状に伸長される中空構造又は、少なくとも接合部近傍及び繋ぎ部３１ａが中空構造に形成される。その形状は、穂先側から竿尻側に向かいテーパー状に竿径が広がり延伸する竿体が、接合部の手前で竿径がテーパー状に縮径化（縮径部３１ｂ）して、ストレート状の繋ぎ部３１ａに繋がっている。
【００３７】
また、穂持部３２は、カーボン等の強化繊維に樹脂を含浸した繊維強化樹脂シートを巻回した中空構造であり、繋ぎ部３１ａが嵌入される接合箇所３２ａは、ストレート状に形成され、竿尻側に向かいテーパー状に竿径が広がるように形成されている。図５に示すように、接合箇所３２ａの開口端３２ｂは、縮径部３１ｂの傾斜（テーパー面）に合うように、逆傾斜の斜面に形成され、穂持部３２に繋ぎ部３１ａが嵌入された場合には、穂先部３１と穂持部３２とが段差なくスムーズに繋がる。尚、図５には、中空構造の穂持部３２を例として示しているが、竿の途中から樹脂部材等により竿内部が充填された中実構造であってもよい。
【００３８】
本実施形態において、穂先部３１及び繋ぎ部３１ａの竿体は、同じ厚さに維持されて形成される、又は、繋ぎ部３１ａ及び縮径部３１ｂの厚さを厚くして形成される。これは、竿径を縮径化、即ち細くすると、竿体自体の剛性が小さくなるため、厚さを維持する又は厚くすることで、繋ぎ部３１ａの剛性を穂先部３１の剛性と同じように維持することができる。勿論、これらの縮径部２１ｂ及び繋ぎ部２２ａと、接合箇所３２ａのそれぞれの厚さを調整することにより、接合部の剛性を調整することができる。これにより、それぞれ接合部と、接合部に繋がる穂先部３１及び穂持部３２と剛性の変化を小さくすることができる。
【００３９】
以上説明したように本実施形態によれば、穂先部３１の繋ぎ部３１ａを穂持部３２に嵌入した接続部であり、繋ぎ部３１ａと接合箇所３２ａが傾斜面で当接しているため、竿体に働く剛性が分散されて、曲率の大きな変化が抑制され、所望する穂先竿の撓み具合を得ることができる。
【００４０】
［第６の実施形態］
次に、第６の実施形態について説明する。図６は、第６の実施形態に係る釣竿の穂先竿の接合部の構成例を示す図である。本実施形態は、穂先竿の穂先部４１の途中から中空構造となった接合箇所４１ａに、穂持部４２の先端側に設けられた繋ぎ部４２ａが嵌入する並継式の接合部を有している。
【００４１】
本実施形態の穂先部４１は、第１の実施形態と同等な筒形状の金属材料を用いて、スエージング加工を利用した先細りテーパー加工により、穂先から直軸状に伸長させて、先端から竿径が拡径化するテーパー状に形成されている。先細りテーパー加工における押しの加減によっては、中空構造４１ｃから細い先端部分のパイプ形状を潰して、中実構造４１ｂとなるように形成することできる。図６に示すように、穂先部４１は、少なくとも接合部近傍が中空構造４１ｃに形成される。
【００４２】
穂持部４２は、前述した繊維強化樹脂シートを巻回して、中実構造で竿尻側に向かい竿径が拡径化するテーパー状に形成される。穂持部４２の先端には、中空構造４１ｃに嵌入するための円柱形状（中実構造）に形成される繋ぎ部４２ａが設けられている。繋ぎ部４２ａは、穂先部２に接合箇所４１ａに嵌入されて接着剤等を用いて固定される。  
以上説明したように本実施形態によれば、接合部が中空構造の接合箇所４１ａに穂持部４２の繋ぎ部が嵌入された接合であるため、剛性の変化を小さくすることができ、竿体の曲率の大きな変化が抑制され、所望する穂先竿の撓み具合を得ることができる。
【符号の説明】
【００４３】
１…釣竿、２，１１…穂先部、３，１２…穂持部、３ａ…繋ぎ部、４…穂先竿（１番節）、５…２番竿（２番節）、１１ａ，１２ａ…接合箇所、１２ａ…接合箇所、１３…インロー部材。
【図１】
2014087300.tif 000003
【図２】
2014087300.tif 000004
【図３】
2014087300.tif 000005
【図４】
2014087300.tif 000006
【図５】
2014087300.tif 000007
【図６】
2014087300.tif 000008